(57)【特許請求の範囲】
【請求項１】
ディスプレイパネルの後方面を支持するバックカバーと、
前記バックカバーの後方面中央部位から前記バックカバーの左右両側にそれぞれ配置されて装着され、それぞれの両側末端部が前記バックカバーに固定される一対の支持部材と、
前記バックカバーの後方面中央部位に結合されて前記支持部材それぞれを前記バックカバーの両側で支持して前記ディスプレイパネルとバックカバーの曲率を変更させる曲率変更部材と、
を含み、
前記曲率変更部材は、
前記支持部材それぞれの一端部に備えられる支持突起と、
両側に中心部からの距離が円周方向一側に大きくなる第１支持ホールが具備されて前記支持突起が前記第１支持ホールに沿って移動されるように挿入され、両側に前記支持部材それぞれの一端部が装着される装着溝が具備されている従動ギアと、
前記従動ギアと噛合されて前記従動ギアを回転させる駆動ギアと、
前記第１支持ホールと対応される第２支持ホールが具備され、前記支持突起が挿入されて前記従動ギアに結合される従動ギア支持板と、
前記従動ギアと駆動ギアが内蔵されて前記バックカバーの後方面に結合されるハウジングと、
を含むディスプレイ装置。
【請求項２】
前記従動ギアは円形の板形状で中心部に前記ハウジングに具備された第１回転軸に結合される第１結合ホールが具備され、外周面の一側に経方向に突出されて前記駆動ギアと噛合される第１ギア部が具備される請求項１に記載のディスプレイ装置。
【請求項３】
前記駆動ギアは前記従動ギアと噛合される第２ギア部が具備され、前記第２ギア部の軸方向に離隔された位置にノブが具備され、前記第２ギア部とノブを貫通して前記ハウジングに具備された第２回転軸に結合される第２結合ホールが具備されている請求項２に記載のディスプレイ装置。
【請求項４】
前記ハウジングは、
前記バックカバーに結合され、前記従動ギアと駆動ギアが挿入されるギア挿入溝が具備されている下部ハウジングと、
前記駆動ギアのノブが貫通される貫通ホールと両側に前記支持部材が挿入される支持部材挿入溝が具備され、前記従動ギア支持板を囲みながら前記下部ハウジングに結合される上部ハウジングと、
を含む請求項３に記載のディスプレイ装置。
【請求項５】
前記上部ハウジングの外側には前記駆動ギアを回転させる回転レバーが結合され、前記駆動ギアのノブと前記回転レバーには締結部材が結合される締結ホールが具備されている請求項４に記載のディスプレイ装置。
【請求項６】
前記回転レバーには回転レバー本体で突出形成される把持部が具備されている請求項５に記載のディスプレイ装置。
【請求項７】
前記支持部材それぞれには前記バックカバーの左右両側方向に長い長ホールで具備されるガイドホールが具備され、前記バックカバーの後方面には前記ガイドホールと対応される位置に固定部材が具備され、ガイド部材が前記支持部材を支持しながら前記ガイドホールを通じて前記固定部材と結合される請求項１に記載のディスプレイ装置。
【請求項８】
前記固定部材は内周面にねじ部が具備されて前記ガイド部材とねじ結合される請求項７に記載のディスプレイ装置。
【請求項９】
前記支持部材はそれぞれの両側末端部にスペーサが結合されて前記バックカバーの後方面と締結部材で固定される請求項１に記載のディスプレイ装置。
【発明の詳細な説明】
【技術分野】
【０００１】
本発明は、ディスプレイ装置に関するものであり、より詳細には、使用者が本人の選択によってディスプレイパネルの曲率を変更させることができるようにして使用者に画面の沒入感を向上させることができるディスプレイ装置に関するものである。
【背景技術】
【０００２】
一般に、平板状のディスプレイ装置としては、液晶ディスプレイ装置(Liquid Crystal Display Device)、プラズマディスプレイ装置(Plasma Display Device)、有機電界発光ディスプレイ装置(Organic Light Emitting Display Device)などが活発に研究されているが、量産化技術、駆動手段の容易性、高画質の具現という長所で液晶ディスプレイ装置と有機電界発光ディスプレイ装置が脚光を浴びている。
【０００３】
最近では、平面ディスプレイ装置の技術的な面の研究開発と併せて需要者によりアピールすることができる製品のデザイン的な面で研究開発の必要性が特に目立っている。
【０００４】
これに伴い、ディスプレイ装置に曲率がある曲面ディスプレイ装置またはカーブドディスプレイ装置に対する要求が次第に増進されている。
【０００５】
そして、現在まで進められて来た曲面ディスプレイ装置は、パネルとバックカバーに一定な曲率を形成してバックカバーの後方面にバックカバーと同一な曲率を有する固定装置が結合される方式で開発されて来た。
【０００６】
図１は、従来のディスプレイ装置を示す分解斜視図である。
【０００７】
図１に示されたように、従来のディスプレイ装置は、ディスプレイパネル１１０と、ディスプレイパネル１１０を収容する外装ケース１２０、外装ケース１２０の下端部や背面部に連結されて机や壁面に固定されるように形成された支柱１３０でなる。
【０００８】
このようなディスプレイ装置は、ディスプレイパネル１１０の背面に装着される曲率変更装置１４０によって平面形モードと曲面型モードで動作するようになる。
【０００９】
すなわち、複数個のモータ１６０とそれぞれ連結された複数個の関節プレート１５０がモータ１６０の駆動によって所定の角度を有するように折れることで、ディスプレイパネル１１０の曲率を変更するようになっている。
【００１０】
しかし、このような曲面ディスプレイ装置またはカーブドディスプレイ装置は、それぞれの関節プレートをディスプレイパネルの背面に結合させなければならない構造であるので、部品数が増えて作業工程が増えて製造原価が上昇される問題点があった。
【００１１】
また、モータの作動によって曲率が変更される構造であるので、作動騷音が大きくて消費電力が増大されるだけでなく、モータの故障時に外装ケースを分離して修理しなければならない構造であるので、消費者に不満がたくさん提起される問題点があった。
【発明の概要】
【発明が解決しようとする課題】
【００１２】
このような背景で、本発明の目的は、使用者が任意に平面ディスプレイまたは曲面ディスプレイで曲率を変更することができるディスプレイ装置を提供することにある。
【００１３】
本発明の他の目的は、ディスプレイ装置において、その大きさにかかわらず使用者が手軽く曲率を変更して使用者の多様な要求を収容することができるディスプレイ装置を提供することにある。
【００１４】
また、本発明の目的はこれに制限されなく、言及されなかったまた他の目的らは下の記載から通常の技術者に明確に理解されることができるであろう。
【課題を解決するための手段】
【００１５】
前述した目的を達成するために、一側面で、本発明は、ディスプレイパネルの後方面を支持するバックカバー、バックカバーの後方面中央部位からバックカバーの左右両側にそれぞれ配置されて装着されるが、それぞれの両側末端部がバックカバーに固定される一対の支持部材、バックカバーの後方面中央部位に結合されて支持部材それぞれをバックカバーの両側に支持してディスプレイパネルとバックカバーの曲率を変更させる曲率変更部材を含むディスプレイ装置を提供する。
【発明の効果】
【００１６】
以上で説明したように、本発明によれば、使用者が任意に平面ディスプレイまたは曲面ディスプレイで曲率を変更することができる効果がある。
【００１７】
また、本発明によれば、大面積のディスプレイ装置において、その大きさにかかわらず使用者が手軽く曲率を変更して使用者の多様な要求を収容することができる効果がある。
【図面の簡単な説明】
【００１８】
【図１】従来のディスプレイ装置を示す分解斜視図である。
【図２】本発明の一実施例によるディスプレイ装置を示す斜視図である。
【図３】図２の一部分を示した分解斜視図である。
【図４】本発明の一実施例によるディスプレイ装置の作動状態を示す背面図である。
【図５】本発明の一実施例によるディスプレイ装置の作動状態を示す背面図である。
【図６】本発明の一実施例によるディスプレイ装置の作動状態を示す平面図である。
【発明を実施するための形態】
【００１９】
以下、本発明の一部実施例を例示的な図面を参照して詳細に説明する。各図面の構成要素に参照符号を付加するに際、同一な構成要素に対してはたとえ他の図面上に表示されても、できるだけ等しい符号を有することができる。また、本発明を説明する際、関連する公知構成または機能に対する具体的な説明が本発明の要旨を不明瞭にすると判断される場合にはその詳細な説明は省略することができる。
【００２０】
また、本発明の構成要素を説明するにおいて、第１、第２、Ａ、Ｂ、(ａ)、(ｂ)などの用語を使用することができる。このような用語はその構成要素を他の構成要素と区別するためのものであるだけで、その用語によって該当構成要素の本質、順番、順序または個数などが限定されない。ある構成要素が異なる構成要素に“連結”、“結合”または“接続”されると記載した場合、その構成要素はその他の構成要素に直接的に連結されるか、または接続されることができるが、各構成要素の間に他の構成要素が“介在”されるか、または各構成要素が他の構成要素を通じて“連結”、“結合”または“接続”されることもできると理解されなければならないであろう。
【００２１】
図２は本発明の一実施例によるディスプレイ装置を示す斜視図、図３は図２の一部分を示した分解斜視図、図４と図５は本発明の一実施例によるディスプレイ装置の作動状態を示す背面図、図６は本発明の一実施例によるディスプレイ装置の作動状態を示す平面図である。
【００２２】
これら図面に示されたように、本発明の一実施例によるディスプレイ装置は、ディスプレイパネルの後方面を支持するバックカバー２０１、バックカバー２０１の後方面中央部位からバックカバー２０１の左右両側にそれぞれ配置されて装着されるが、それぞれの両側末端部がバックカバー２０１に固定される一対の支持部材２０７、バックカバー２０１の後方面中央部位に結合されて支持部材２０７それぞれをバックカバー２０１の両側で支持してディスプレイパネルとバックカバー２０１の曲率を変更させる曲率変更部材２１０を含む。
【００２３】
そして、バックカバー２０１の下部には連結部材２０５が支柱２０３と連結されて机やテーブルに据え置きされてバックカバー２０１の曲率変更時連結部材２０５が連結軸２０５ａに支持されて所定の角度で回転するようになっており、本発明でのディスプレイパネルは液晶ディスプレイパネルまたは発光ディスプレイパネルに無関係に適用することができる。
【００２４】
すなわち、ディスプレイパネルが液晶ディスプレイパネルで構成される場合、液晶ディスプレイパネルに光を照射するためのバックライトユニット、下部基板に付着された下部偏光板、及び上部基板の前面に付着された上部偏光板をさらに含んで構成されることができるし、下部基板及び上部基板の具体的な構成は液晶パネルの駆動モード、例えば、ＴＮ(Twisted Nematic)モード、ＶＡ(Vertical Alignment)モード、ＩＰＳ(In plane switching)モード、及びＦＦＳ(Fringe field switching)モードなどによって、当業界で公知された多様な形態で形成されることができる。
【００２５】
また、ディスプレイパネルが発光ディスプレイパネルで構成される場合、発光ディスプレイパネルはゲートライン、データライン、及び電源(ＶＤＤ)ラインによって定義される領域ごとに形成された複数の発光セルを含む下部基板及び下部基板に対向合着された上部基板を含んで構成されることができるし、このような構成は本発明が属する技術分野で周知の技術であるので、図面と詳細な説明を略したことを明らかにしておく。
【００２６】
このように、本発明におけるディスプレイパネルは、その種類に無関係に使われることができるので、以下ではディスプレイパネルの種類に構わなく説明することにする。
【００２７】
先ず、図２に示したようにディスプレイ装置の背面、すなわち、バックカバー２０１の後方面に装着される曲率変更部材２１０がバックカバー２０１の後方面に両側端が結合されて支持部材２０７を中央部位から両側に押すように支持することで、平面形モード(Ａ)と曲面型モード(Ｂ)で動作するようになっている。
【００２８】
すなわち、支持部材２０７はバックカバー２０１の後方面中央部位からバックカバー２０１の左右両側にそれぞれ配置される一対で具備されるが、それぞれの支持部材２０７は、バックカバー２０１の両側端において、バックカバー２０１に固定され、バックカバー２０１の中央部位において、曲率変更部材２１０によって支持されるようになっている。
【００２９】
そして、使用者が曲率変更部材２１０を作動させれば支持部材２０７の両側末端部はバックカバー２０１に固定されている状態であるが、中央部位で両側方向に力を受けるようになるので、支持部材２０７に座屈(Buckling)現象が発生されながら支持部材２０７のベンディングがなされるようになってバックカバー２０１の曲率を変更させるようになっている。
【００３０】
このような、支持部材２０７はディスプレイパネルとバックカバー２０１をベンディングさせることができるように剛性が大きいアルミニウム合金やステンレススチールなどの金属材質で形成されるが、使用者が曲面型モード(Ｂ)に変更時弾性ベンディングが容易であるように長さが長い薄い平板形状を有するように形成される。
【００３１】
そして、ディスプレイ装置が曲面型モード(Ｂ)である時支持部材２０７の曲率が略６０００〜２０００ｍｍにベンディングされながらバックカバー２０１の後方面を支持してバックカバー２０１を弾性変形させることで、ディスプレイ装置を平面形モード(Ａ)から曲面型モード(Ｂ)に変更するようになっている。
【００３２】
このように支持部材２０７をバックカバー２０１の両側方向で支持する曲率変更部材２１０は、図３に示されたように支持部材２０７それぞれの一端部中央部上側に具備される支持突起２０２、両側に中心部からの距離が円周方向一側に大きくなる第１支持ホール２３７ａが具備されて支持突起２０２が第１支持ホール２３７ａに沿って移動されるように挿入されて、両側に支持部材２０７それぞれの中央部上側端部が装着される装着溝２３２が具備されている従動ギア２３０、従動ギア２３０と噛合されて従動ギア２３０を回転させる駆動ギア２５０、第１支持ホール２３７ａと対応される第２支持ホール２３７ｂが具備されて支持突起２０２が挿入されて従動ギア２３０に結合される従動ギア支持板２４０、従動ギア２３０と駆動ギア２５０が内蔵されてバックカバー２０１の後方面に結合されるハウジング２１０ａ、２１０ｂを含んで、このような曲率変更部材２１０によって使用者が曲面型モード(Ｂ)または平面形モード(Ａ)で便利に変更することができるようになっている。
【００３３】
ここで、支持部材２０７は従動ギア２３０の回転時従動ギア２３０によって支持されて両側方向に支持されることができるように支持部材２０７それぞれの一端部中央部上側に支持突起２０２が形成されて従動ギア２３０の第１支持ホール２３７ａに挿入結合される。
【００３４】
そして、従動ギア２３０は円形板形状で形成される従動ギア本体２３４の中心部に第１結合ホール２３５ａが形成されていて、ハウジング２１０ａ、２１０ｂに具備された第１回転軸２３６に結合されて回転するようになっていて、第１結合ホール２３５ａと経方向に所定距離が離隔された位置には支持突起２０２が挿入される第１支持ホール２３７ａが円周方向に長く形成されている。
【００３５】
このような第１支持ホール２３７ａは、従動ギア２３０の回転時に支持部材２０７が両側に支持されることができるように、従動ギア２３０の中心部からの第１支持ホール２３７ａまでの距離が円周方向一側に行くほど漸進的に大きくなるようになっている。
【００３６】
すなわち、従動ギア２３０の中心部から第１支持ホール２３７ａの一側端までの距離(Ｒ２)が従動ギア２３０の中心部から第１支持ホール２３７ａの他側端までの距離(Ｒ１)より大きく形成されていて、従動ギア２３０の回転時支持突起２０２が第１支持ホール２３７ａに沿って移動しながら支持部材２０７が漸進的に従動ギア２３０の中心部から遠くなる力を受けるようになっている。
【００３７】
このような作動を図４と図５を参照してより詳しく見れば、平面形モード(Ａ)を示した図４での支持突起２０２は従動ギア２３０の中心部からの距離がＲ１である第１支持ホール２３７ａの位置に結合されていて、支持部材２０７には両側で支持する荷重がかからなくてベンディングが発生されないで平面形モード(Ａ)を維持するようになる。
【００３８】
そして、使用者が駆動ギア２５０を図面上反時計方向に回せば従動ギア２３０は時計方向に回転するようになって、この時、従動ギア２３０の中心部から第１支持ホール２３７ａまでの距離がＲ１からＲ２に漸進的に増大されながら支持部材２０７が両側に支持される荷重が発生されてベンディングが発生される。
【００３９】
以後、曲面型モード(Ｂ)を図示した図５に示されたように従動ギア２３０が時計方向に完全に回転されれば支持突起２０２は従動ギア２３０の中心部からの距離がＲ２である第１支持ホール２３７ａの位置に結合されて支持部材２０７を両側で支持する荷重が最大になって支持部材２０７のベンディング量も最大になる。
【００４０】
したがって、従動ギア２３０の回転が完了すればＲ２-Ｒ１に該当する距離程度支持部材２０７が移動しようとする荷重が発生されるが、前述したように支持部材２０７の両側末端はバックカバー２０１に固定されているので、支持部材２０７は図６のようにベンディングがなされるようになって、使用者が再び平面形モード(Ａ)に復帰することは、これと反対の作動がなされるようになる。
【００４１】
一方、従動ギア２３０の両側には支持部材２０７の一端部が装着される装着溝２３２が形成されていて、従動ギア２３０の組み立て時支持部材２０７の組み立て位置を決めてくれると共に従動ギア２３０の作動時支持部材２０７の離脱を防止することができるようになっている。
【００４２】
また、従動ギア２３０の外周面の一側には経方向に突出形成される第１ギア部２３１が具備されて駆動ギア２５０と噛合されるようになっていて、駆動ギア２５０が従動ギア２３０を回転させる時に使用者の作動力が減って手軽く回転させるようになっている。
【００４３】
そして、従動ギア２３０の軸方向外側には第１支持ホール２３７ａと対応される位置に等しい形状で形成される第２支持ホール２３７ｂが形成されている従動ギア支持板２４０が結合される。
【００４４】
したがって、支持部材２０７を間に置いて一側と他側に従動ギア２３０と従動ギア支持板２４０が結合されて、この時支持部材２０７の両側面に具備された支持突起２０２が第１支持ホール２３７ａと第２支持ホール２３７ｂに挿入されて結合されることで、駆動ギア２５０の作動時従動ギア２３０と従動ギア支持板２４０が連動されて回転して支持部材２０７を両側で支持するようになる。
【００４５】
一方、従動ギア２３０の外周側に配置される駆動ギア２５０は従動ギア２３０と噛合される第２ギア部２５５が具備されていて、第２ギア部２５５の軸方向に離隔された位置には円形板形状のノブ２５２が具備されていて後述する回転レバー２２０と結合される。
【００４６】
そして、駆動ギア２５０には第２ギア部２５５とノブ２５２を貫通してハウジング２１０ａ、２１０ｂに具備された第２回転軸２１３に結合される第２結合ホール２５３が具備されていて、回転レバー２２０の回転時に第２回転軸２１３を基準で駆動ギア２５０が連動回転して従動ギア２３０を回転させることで使用者の作動便宜性を高めることができるようになっている。
【００４７】
このような従動ギア２３０と駆動ギア２５０が内蔵されるハウジング２１０ａ、２１０ｂは、バックカバー２０１に結合されて従動ギア２３０と駆動ギア２５０が挿入されるギア挿入溝２１１が具備されている下部ハウジング２１０ａ、駆動ギア２５０のノブ２５２が貫通される貫通ホール２１７と両側に支持部材２０７が挿入される支持部材挿入溝２１６が具備されて従動ギア支持板２４０を囲みながら下部ハウジング２１０ａに結合される上部ハウジング２１０ｂを含む。
【００４８】
このようなハウジング２１０ａ、２１０ｂによって使用者が曲面型モード(Ｂ)または平面形モードに変更時支持部材２０７と駆動ギア２５０、従動ギア２３０、従動ギア支持板２４０などが堅固に支持されながら作動することができるようになっている。
【００４９】
下部ハウジング２１０ａは上部ハウジング２１０ｂと共に支持部材２０７、駆動ギア２５０、従動ギア２３０、従動ギア支持板２４０などを内蔵させてバックカバー２０１に結合されるが、上部ハウジング２１０ｂとの結合のための結合ホール２１５ａが具備されていて、中心部には従動ギア２３０と駆動ギア２５０が挿入されるギア挿入溝２１１が具備されているし、ギア挿入溝２１１には従動ギア２３０と駆動ギア２５０の第１、２回転軸２３６、２１３がそれぞれ具備されている。
【００５０】
また、上部ハウジング２１０ｂには下部ハウジング２１０ａとの結合のための結合ホール２１５ｂが具備されて、駆動ギア２５０のノブ２５２が貫通される貫通ホール２１７が形成されているし、両側に支持部材２０７が挿入される支持部材挿入溝２１６が具備されて従動ギア支持板２４０を囲みながら下部ハウジング２１０ａに結合される。
【００５１】
したがって、使用者が曲面型モード(Ｂ)と平面形モード(Ａ)変更時、支持部材２０７が両側末端部が固定された状態でバックカバー２０１の両側で力を受ける時支持部材２０７、駆動ギア２５０、従動ギア２３０などが離脱されるか、または変形されることを防止すると共に従動ギア２３０と駆動ギア２５０が外部に露出しなくてほこりや異物が流入されることを防止するようになる。
【００５２】
また、上部ハウジング２１０ｂの外側には駆動ギア２５０を回転させる回転レバー２２０が結合されるが、駆動ギア２５０のノブ２５２と回転レバー２２０には締結ホール２５１、２２１ａがそれぞれ具備されて締結部材で堅固に結合されて、回転レバー２２０の回転時駆動ギア２５０が従動ギア２３０を回転させることができるようになって使用者の作動便宜性を高めるようになっている。
【００５３】
このような回転レバー２２０には回転レバー本体２２１で突出形成される把持部２２３が具備されていて、使用者が回転レバー２２０の作動時に作動力を減らして便宜性を高めることができるようになっているし、場合によっては作動力をさらに減らすことができるように把持部２２３を回転レバー本体２２１の両側に延長させて長く形成することもできるであろう。
【００５４】
一方、図６に示されたように支持部材２０７それぞれにはバックカバー２０１の左右両側方向に長い長ホールで具備されるガイドホール２０７ａが具備されて、バックカバー２０１の後方面には支持部材２０７のガイドホール２０７ａと対応される位置に固定部材２０８が結合されていて、ガイド部材２０１ａがガイドホール２０７ａを通じて固定部材２０８と結合されるようになっている。
【００５５】
したがって、支持部材２０７のベンディング時ガイド部材２０１ａが支持部材２０７をバックカバー２０１側に支持するようになることで、支持部材２０７がバックカバー２０１前方側にベンディングがなされるようになって、反対方向であるバックカバー２０１の後方側にベンディングされるか、または変形が発生されることを防止するようになっている。
【００５６】
すなわち、支持部材２０７と固定部材２０８との間の間隔が大きくなるほど支持部材２０７のベンディング時バックカバー２０１の曲率変更量が減るようになるので、ガイド部材２０１ａが支持部材２０７と固定部材２０８を密着させることで、曲率変更量の減少なしに支持部材２０７のベンディング量によってバックカバー２０１の曲率も変更される作動ができるようになる。
【００５７】
そして、固定部材２０８は内周面にねじ部が具備されてガイド部材２０１ａとねじ結合されるが、ここでの固定部材２０８はバックカバー２０１に融着、ボンディングなどで固定されるウェルディングナットまたはＰＥＭナットが利用されることができるし、図６では固定部材２０８の一例でウェルディングナットが結合されたものを図示したし、この場合ウェルディングナットがバックカバー２０１に固定された状態でガイド部材２０１ａが支持部材２０７をバックカバー２０１側に支持しながらウェルディングナットに螺合される。
【００５８】
但し、必ずこれに限定されるものではなくて、ガイド部材２０１ａの外周面にねじ部を形成しないでウェルディングナットに圧入して結合することもできるであろう。
【００５９】
また、支持部材２０７はそれぞれの両側末端部にスペーサ２０６が結合されてバックカバー２０１の後方面と締結部材２０７ｂで固定されることで、荷重伝達時バックカバー２０１の変形と破損を防止するようになっているが、使用者の曲率変更作動初期に支持部材２０７のベンディングを誘導するようにスペーサ２０６の厚さを変更することもできる。
【００６０】
すなわち、支持部材２０７のベンディングを誘導できるように曲率変更部材２１０が位置するバックカバー２０１の後方面中央部位から支持部材２０７一端までの距離よりバックカバー２０１の後方面両側から支持部材２０７他端までの距離が小くなるようにスペーサ２０６の厚さを減らしてバックカバー２０１に固定するようになれば、支持部材２０７が所定量ベンディングされた状態で装着されるので、曲率変更作動初期に支持部材２０７のベンディングがより易しくなされるようになることができるようになる。
【００６１】
以上で説明したように本発明によれば、使用者が任意に平面ディスプレイまたは曲面ディスプレイで曲率を変更することができる効果がある。
【００６２】
また、本発明によれば、ディスプレイ装置においてその大きさにかかわらず使用者が手軽く曲率を変更して使用者の多様な要求を収容することができる効果がある。
【００６３】
以上で、本発明の実施例を構成するすべての構成要素が一つで結合されるか、または結合されて動作するものとして説明されたとして、本発明が必ずこのような実施例に限定されるものではない。すなわち、本発明の目的範囲内でなら、そのすべての構成要素が一つ以上で選択的に結合して動作することもできる。
【００６４】
また、以上で記載した“含む”、“構成する”または“有する”などの用語は、特別に反対される記載がない限り、該当構成要素が内在することができることを意味するものであるので、他の構成要素を除くものではなく、他の構成要素をさらに含むことができるものとして解釈されなければならない。技術的であるか、または科学的な用語を含んだすべての用語は、異なるように定義されない限り、本発明が属する技術分野で通常の知識を持った者によって一般的に理解されるものと等しい意味を有する。事前に定義された用語のように一般に使われる用語らは、関連技術の文脈上の意味と一致するものとして解釈されなければならないし、本発明で明白に定義しない限り、理想的であるか、または過度に形式的な意味で解釈されない。
【００６５】
以上の説明は、本発明の技術思想を例示的に説明したことに過ぎないものとして、本発明が属する技術分野で通常の知識を持った者なら本発明の本質的な特性から脱しない範囲で多様な修正及び変形が可能であろう。よって、本発明に開示された実施例らは本発明の技術思想を限定するためではなく説明するためのものであり、このような実施例によって本発明の技術思想の範囲が限定されるものではない。本発明の保護範囲は下の請求範囲によって解釈されなければならないし、それと同等な範囲内にあるすべての技術思想は本発明の権利範囲に含まれるものとして解釈されなければならないであろう。
【符号の説明】
【００６６】
２０１  バックカバー
２０７  支持部材
２１０  曲率変更部材
２１０ａ  下部ハウジング
２１０ｂ  上部ハウジング
２１１  ギア挿入溝
２２０  回転レバー
２２３  把持部
２３０  従動ギア
２５０  駆動ギア
【図１】
0006380957.tif 000002
【図２】
0006380957.tif 000003
【図３】
0006380957.tif 000004
【図４】
0006380957.tif 000005
【図５】
0006380957.tif 000006
【図６】
0006380957.tif 000007